(57)【要約】【課題】  外蓋と内蓋とを共に開いている状態から外蓋によって内蓋を後押し閉動させても、内蓋の先端縁が外蓋の縁枠部と画像表示面との境界箇所の段付部に突き当たる前に内蓋がその自重によって閉動するようにする。【解決手段】  ベース体１に外蓋２と内蓋５とを各別の横軸２１，５１周りで開閉動可能に取り付ける。内蓋５に内蓋開度調節機構７を付設し、外蓋２に内蓋開度調節機構７の開度無段調節機能を解除する機能解放機構８を付設する。機能解放機構８は、外蓋回動中心部の偏心箇所に位置するカム面８１と、内蓋開度調節機構７のばね部材（板ばね）７１をを摺動体７２から離反させるピン状の可動体８２とでなる。【選択図】        図１
2006172558.tif 000002
【特許請求の範囲】
【請求項１】
ベース体に、縁枠部とその縁枠部により囲まれてその縁枠部に対し凹入している画像表示面とを備えた外蓋と、その外蓋の内側に位置する内蓋とが、各別の横軸周りで開閉動可能に取り付けられている内蓋付き画像表示装置において、
上記外蓋の先端縁側に位置する上記縁枠部と上記画像表示面との境界箇所の段付部の上記外蓋の開閉動に伴う第１円弧経路が、内蓋の開閉動に伴う内蓋先端縁の第２円弧経路に対して交差し、その交差箇所を境として、上記外蓋の開き側で上記第１円弧経路が第２円弧経路の上側に位置し、上記外蓋の閉じ側で上記第１円弧経路が第２円弧経路の下側に位置し、
上記段付部の第１円弧経路と上記内蓋先端縁の第２円弧経路との交差箇所を含む範囲で上記内蓋の開き角度を任意の角度に無段階に設定する開度無段調節機能を備えた内蓋開度調節機構がその内蓋に付設され、その内蓋を後押し閉動させることのできる上記外蓋に、当該外蓋が上記交差箇所よりも外蓋の閉じ側に閉動する直前で上記内蓋開度調節機構の開度無段調節機能を解除する機能解放機構が付設されていて、
上記内蓋開度調節機構が、上記内蓋の開閉動の支点となる内蓋回動中心部の偏心箇所に設けられた摺動体と、上記ベース体に設けられ、上記摺動体に弾接してその摺動体を位置決めすることにより上記内蓋の開き角度を固定するばね部材とでなり、上記機能解放機構が、上記ばね部材をその弾性に抗して撓み変形させることによりそのばね部材を上記摺動体から離反させるカム機構でなり、
上記カム機構が、上記外蓋回動中心部の偏心箇所に位置するカム面と、上記ベース体に設けられて上記カム面により押し下げられて上記ばね部材を上記摺動体から離反させる可動体とでなり、
上記ばね部材は、基端部が上記ベース体に固着され、先端部に上記摺動部に対する摺動面が具備され、中間部にピン状の上記可動体の端部が載架された作用部が具備されている板ばねでなり、
上記ベース体の上面に、閉動した上記内蓋によって覆われるディスク配備スペースが備わっていて、そのディスク配備スペースに光学的に処理されるディスクが着脱可能であることを特徴とする内蓋付き画像表示装置。
【請求項２】
ベース体に、縁枠部とその縁枠部により囲まれてその縁枠部に対し凹入している画像表示面とを備えた外蓋と、その外蓋の内側に位置する内蓋とが、各別の横軸周りで開閉動可能に取り付けられている内蓋付き画像表示装置において、
上記外蓋の先端縁側に位置する上記縁枠部と上記画像表示面との境界箇所の段付部の上記外蓋の開閉動に伴う第１円弧経路が、内蓋の開閉動に伴う内蓋先端縁の第２円弧経路に対して交差し、その交差箇所を境として、上記外蓋の開き側で上記第１円弧経路が第２円弧経路の上側に位置し、上記外蓋の閉じ側で上記第１円弧経路が第２円弧経路の下側に位置し、
上記段付部の第１円弧経路と上記内蓋先端縁の第２円弧経路との交差箇所を含む範囲で上記内蓋の開き角度を任意の角度に無段階に設定する開度無段調節機能を備えた内蓋開度調節機構がその内蓋に付設され、その内蓋を後押し閉動させることのできる上記外蓋に、当該外蓋が上記交差箇所よりも外蓋の閉じ側に閉動する直前で上記内蓋開度調節機構の開度無段調節機能を解除する機能解放機構が付設されていることを特徴とする内蓋付き画像表示装置。
【請求項３】
上記内蓋開度調節機構が、上記内蓋の開閉動の支点となる内蓋回動中心部の偏心箇所に設けられた摺動体と、上記ベース体に設けられ、上記摺動体に弾接してその摺動体を位置決めすることにより上記内蓋の開き角度を固定するばね部材とでなり、上記機能解放機構が、上記ばね部材をその弾性に抗して撓み変形させることによりそのばね部材を上記摺動体から離反させるカム機構でなる請求項２に記載した内蓋付き画像表示装置。
【請求項４】
上記カム機構が、上記外蓋回動中心部の偏心箇所に位置するカム面と、上記ベース体に設けられて上記カム面により押し下げられて上記ばね部材を上記摺動体から離反させる可動体とでなる請求項３に記載した内蓋付き画像表示装置。
【請求項５】
上記ばね部材は、基端部が上記ベース体に固着され、先端部に上記摺動部に対する摺動面が具備され、中間部にピン状の上記可動体の端部が載架された作用部が具備されている板ばねでなる請求項４に記載した内蓋付き画像表示装置。
内蓋付き画像表示装置。
【発明の詳細な説明】
【技術分野】
【０００１】
本発明は、内蓋付き画像表示装置、特に、外蓋と内蓋とが各別の横軸周りで開閉動可能に取り付けられている内蓋付き画像表示装置に関する。
【背景技術】
【０００２】
従来、ポータブル編集装置において、ビデオテープレコーダ、コンパクトディスクプレーヤ及びオーディオカセットテープレコーダを設けた本体ケースに、本体蓋をヒンジ結合することが知られている（特許文献１参照）ほか、映像記録媒体再生装置において、装置本体にモニター部とディスク蓋とを各々の回動軸を介して回動保持させることも知られている（特許文献２参照）。さらに、ディスクプレーヤの筐体に外蓋と中蓋とを開閉可能に設け、外蓋にＬＣＤディスプレイを設け、中蓋にメンブレンキーボードを設けること（特許文献３、特許文献４参照）が知られている。
【０００３】
一方、図７に比較例としての内蓋付き画像表示装置を示してある。この内蓋付き画像表示装置では、ベース体１に外蓋２と内蓋５とを各別の横軸２１，５１周りで開閉動可能に取り付けてあり、ベース体１には、たとえば情報記録再生媒体としてのディスクを光学的に処理するディスクプレーヤが組み付けられてそのベース体１の上面に上記ディスクが着脱されるディスク配備スペースが形成されている。そして、そのディスクプレーヤの作動時には内蓋５を閉じてディスクを装着したディスク配備スペースを覆わせ、ディスク着脱時には内蓋５を開動させてディスク配備スペースを開放することができるようになっている。また、外蓋２の内面側にＬＣＤでなる画像表示面６が備わり、その画像表示面６の周囲に縁枠部６１が備わっている。
【０００４】
この内蓋付き画像表示装置において、内蓋５の開度をその開閉範囲内の一定領域で任意の角度に無段階に設定可能にすることが要求された場合の対策として、内蓋５に後述する板ばね（図８〜図１０参照）７１を利用した内蓋開度調節機構７を設けることが試みられた。そして、図７はそのような内蓋開度調節機構７を設けた場合に、外蓋２と内蓋５とを開閉動させた状態を各段階に分けて示してある。すなわち、図７において、（Ａ）は内蓋５と外蓋２とを共に全閉した状態を示し、（Ｂ）は外蓋２だけを直角に開いた状態を示し、（Ｃ）は外蓋２を全開し、内蓋５を中間の開度まで開動させた状態を示し、（Ｄ）は外蓋２を閉動させて内蓋５を後押し閉動させているときに起こり得る状態を示し、（Ｅ）は外蓋２と内蓋５とが全閉される直前の状態を示している。
【０００５】
内蓋開度調節機構７を図８〜図１０に示してあり、図８は内蓋５の全閉状態を示す要部断面図、図９は内蓋５を任意の開度に設定した状態の要部断面図、図１０は内蓋５の全開状態を示す要部断面図である。
【０００６】
図８〜図１０の事例において、内蓋開度調節機構７は、内蓋５の開閉動の支点となる上記横軸５１により形成された内蓋回動中心部の偏心箇所に設けられている摺動体７２と、この摺動体７２に弾接してその摺動体７２を位置決めすることにより内蓋５の任意の開き角度を固定する板ばね７１でなるばね部材とでなり、板ばね７１は、ベース体１に片持ち状に取り付けられている。
【０００７】
このものによると、図８のように全閉している内蓋５が持ち上げられて開動されることにより、その内蓋５の開度が図９に示したその開閉範囲内の一定領域Ｚに定められたとき、すなわち、摺動体７２が同図の仮想線で示した位置と実線で示した位置との間で回動するときには、摺動体７２が板ばね７１をその弾性に抗して押し下げるためにその板ばね７１が摺動体７２に弾接して摺動体７２をそのときの位置に位置決めし、内蓋５の開度がそのときの開き角度に固定される。これが内蓋開度調節機構７の開度無段調節機能である。また、板ばね７１には突起７４が備わっていて、図１０のように内蓋５がさらに開動されて摺動体７２がその突起７４を乗り越えたときには、その突起７４が摺動体７２を掛止して内蓋５がその自重により不慮に閉じてしまうことを防ぐ。
【０００８】
一方、この内蓋付き画像表示装置において、内蓋５と外蓋２とが共に開いている状態からそれらを閉じるときには、内蓋５を全閉させてから外蓋２を全閉させるという取扱い方を行うことが推奨されるけれども、場合によっては、内蓋５を上記内蓋開度調節機構７の開度無段調節機能を利用して任意の角度に開いたまま外蓋２を閉じるということが行われることも想定し得る。そして、そのような取扱いが行われた場合には、外蓋２が内蓋５を後押しして内蓋５が外蓋２と共に閉じられるということが起こり得る。
【０００９】
この場合に、内蓋５の大きさによっては、図７（Ｄ）又は図７（Ｄ）の要部を拡大して示した図１１のように、外蓋２の縁枠部６１と画像表示面６との境界箇所に位置している凹入状の段付部６２に内蓋５の先端縁５２が突き当たり、そのまま外蓋２が無理に閉動されるという事態の起こり得ることが知見された。
【特許文献１】特開平６−２９５５６７号公報
【特許文献２】特開２００１−１８９０７１号公報
【特許文献３】特許第３１２７９４２号公報
【特許文献４】特許第３３０４９９７号公報
【発明の開示】
【発明が解決しようとする課題】
【００１０】
しかしながら、図７（Ｄ）又は図１１を参照して説明したように、外蓋２の縁枠部６１と画像表示面６との境界箇所に位置している凹入状の段付部６２に内蓋５の先端縁５２が突き当たったまま外蓋２が無理に閉動されるという事態が起こると、内蓋５が液晶面などでなる画像表示面６と干渉してその画像表示面６が傷付けられたり、場合によっては液晶が破壊されてしまうというおそれがある。
【００１１】
この点に関し、特許文献１には本体蓋をヒンジ結合することが記載されているに過ぎず、特許文献２には装置本体にモニター部とディスク蓋とを各々の回動軸を介して回動保持させることが記載されているに過ぎず、特許文献３や特許文献４には、ディスクプレーヤの筐体に外蓋と中蓋とを開閉可能に設けることが記載されているに過ぎないため、これらの各特許文献によって開示された技術を適用して上記したような画像表示面６の傷付きや液晶破壊の問題を改善することは不可能である。
【００１２】
本発明は以上の状況や問題に鑑みてなされたものであり、図７〜図１０を参照して説明した比較例としての内蓋付き画像表示装置において、図１１などを参照して説明した問題点、すなわち、外蓋２の縁枠部６１と画像表示面６との境界箇所に位置している凹入状の段付部６２に内蓋５の先端縁５２が突き当たるという事態を未然に回避することのできる内蓋付き画像表示装置を提供することを目的とする。
【００１３】
また、本発明は、ユーザが外蓋によって内蓋を後押し閉動させた場合でも、画像表示面の傷付きや破壊が起こらないようにしてユーザにとっての使い勝手を高めることのできる内蓋付き画像表示装置を提供することを目的とする。
【課題を解決するための手段】
【００１４】
本発明に係る内蓋付き画像表示装置は、ベース体に、縁枠部とその縁枠部により囲まれてその縁枠部に対し凹入している画像表示面とを備えた外蓋と、その外蓋の内側に位置する内蓋とが、各別の横軸周りで開閉動可能に取り付けられている。
【００１５】
このような内蓋付き画像表示装置において、上記外蓋の先端縁側に位置する上記縁枠部と上記画像表示面との境界箇所の段付部の上記外蓋の開閉動に伴う第１円弧経路が、内蓋の開閉動に伴う内蓋先端縁の第２円弧経路に対して交差し、その交差箇所を境として、上記外蓋の開き側で上記第１円弧経路が第２円弧経路の上側に位置し、上記外蓋の閉じ側で上記第１円弧経路が第２円弧経路の下側に位置している場合に、外蓋２が内蓋５を後押し閉動させたときに、上記段付部に内蓋の先端縁が突き当たるという事態が起こり得る。また、そのような事態は、上記段付部の第１円弧経路と上記内蓋先端縁の第２円弧経路との交差箇所を含む範囲で上記内蓋の開き角度を任意の角度に無段階に設定可能な開度無段調節機能を備えた内蓋開度調節機構がその内蓋に付設されている場合に起こり得る可能性が大きい。
【００１６】
そこで、この発明では、上記内蓋を後押し閉動させることのできる上記外蓋に、当該外蓋が上記交差箇所よりも外蓋の閉じ側に閉動する直前で上記内蓋開度調節機構の開度無段調節機能を解除する機能解放機構が付設されている。この構成であると、外蓋が上記交差箇所よりも外蓋の閉じ側に閉動したときに、内蓋がその自重により外蓋の閉動とは関係なく閉動するようになる。そのため、上記段付部に内蓋の先端縁が突き当たるという事態が未然に回避され、内蓋が画像表示面を傷付けたり破壊したりすることが防止される。
【００１７】
本発明では、上記内蓋開度調節機構が、上記内蓋の開閉動の支点となる内蓋回動中心部の偏心箇所に設けられた摺動体と、上記ベース体に設けられ、上記摺動体に弾接してその摺動体を位置決めすることにより上記内蓋の開き角度を固定するばね部材とでなり、上記機能解放機構が、上記ばね部材をその弾性に抗して撓み変形させることによりそのばね部材を上記摺動体から離反させるカム機構でなる、という構成を採用することが可能である
そして、本発明では、上記カム機構が、上記外蓋回動中心部の偏心箇所に位置するカム面と、上記ベース体に設けられて上記カム面により押し下げられて上記ばね部材を上記摺動体から離反させる可動体とでなる、という構成を採用することが望ましい。これによれば、カム機構の構成を簡略化して追加部品点数を最少限度に抑えることが可能である。
【００１８】
本発明において、上記ばね部材は、基端部が上記ベース体に固着され、先端部に上記摺動部に対する摺動面が具備され、中間部にピン状の上記可動体の端部が載架された作用部が具備されている板ばねでなる、という構成を採用することが可能であり、これによれば、内蓋開度調節機構を備える内蓋付き画像表示装置において、段付部に内蓋の先端縁が突き当たるという事態を未然に回避して、内蓋が画像表示面を傷付けたり破壊したりすることを防止することが可能になる。
【００１９】
本発明に係る内蓋付き画像表示装置は、ベース体に、縁枠部とその縁枠部により囲まれてその縁枠部に対し凹入している画像表示面とを備えた外蓋と、その外蓋の内側に位置する内蓋とが、各別の横軸周りで開閉動可能に取り付けられている内蓋付き画像表示装置において、上記外蓋の先端縁側に位置する上記縁枠部と上記画像表示面との境界箇所の段付部の上記外蓋の開閉動に伴う第１円弧経路が、内蓋の開閉動に伴う内蓋先端縁の第２円弧経路に対して交差し、その交差箇所を境として、上記外蓋の開き側で上記第１円弧経路が第２円弧経路の上側に位置し、上記外蓋の閉じ側で上記第１円弧経路が第２円弧経路の下側に位置し、上記段付部の第１円弧経路と上記内蓋先端縁の第２円弧経路との交差箇所を含む範囲で上記内蓋の開き角度を任意の角度に無段階に設定する開度無段調節機能を備えた内蓋開度調節機構がその内蓋に付設され、その内蓋を後押し閉動させることのできる上記外蓋に、当該外蓋が上記交差箇所よりも外蓋の閉じ側に閉動する直前で上記内蓋開度調節機構の開度無段調節機能を解除する機能解放機構が付設されていて、上記内蓋開度調節機構が、上記内蓋の開閉動の支点となる内蓋回動中心部の偏心箇所に設けられた摺動体と、上記ベース体に設けられ、上記摺動体に弾接してその摺動体を位置決めすることにより上記内蓋の開き角度を固定するばね部材とでなり、上記機能解放機構が、上記ばね部材をその弾性に抗して撓み変形させることによりそのばね部材を上記摺動体から離反させるカム機構でなり、上記カム機構が、上記外蓋回動中心部の偏心箇所に位置するカム面と、上記ベース体に設けられて上記カム面により押し下げられて上記ばね部材を上記摺動体から離反させる可動体とでなり、上記ばね部材は、基端部が上記ベース体に固着され、先端部に上記摺動部に対する摺動面が具備され、中間部にピン状の上記可動体の端部が載架された作用部が具備されている板ばねでなり、上記ベース体の上面に、閉動した上記内蓋によって覆われるディスク配備スペースが備わっていて、そのディスク配備スペースに光学的に処理されるディスクが着脱可能である、という構成を採用することによっていっそう具体化される。この発明の構成や作用については、後述する実施形態を参照して詳細に説明する。
【発明の効果】
【００２０】
本発明によれば、外蓋と内蓋とを共に開いている状態から外蓋を閉動させてその外蓋によって内蓋を後押し閉動させても、内蓋の先端縁が外蓋の縁枠部と画像表示面との境界箇所の段付部に突き当たる前に内蓋がその自重によって閉動するので、上記段付部に内蓋の先端縁が突き当たって画像表示面を傷付けたり破壊したりすることが未然に防止される。そのため、内蓋を外蓋によって後押し閉動させるという操作を行っても、画像表示面を傷付けたり破壊したりすることがなくなってユーザにとっての使い勝手が向上する。また、本発明によれば、ピン状の可動体とカム面とでなるカム機構を、図８〜図１０を参照して説明した比較例としての内蓋付き画像表示装置に追加するだけの簡単な構成で済み、部品の追加点数を最少限度に抑えることができるという利点がある。
【発明を実施するための最良の形態】
【００２１】
図１（Ａ）〜（Ｅ）は本発明に係る内蓋付き画像表示装置の外蓋２及び内蓋５の開閉動作を説明的に示した概略側面図、図２は内蓋５の全閉状態を示す要部断面図、図３は内蓋５の開度を任意の角度に設定した状態の要部断面図、図４は機能解放機構８の始動状態を示した要部断面図、図５は機能解放機構８の動作状態を示した要部断面図、図６は機能解放機構８の動作終了状態を示した要部断面図である。
【００２２】
この内蓋付き画像表示装置は、図７〜図１０を参照して説明したものと同様に、ベース体１に外蓋２と内蓋５とを各別の横軸２１，５１周りで開閉動可能に取り付けてあり、ベース体１には、たとえば情報記録再生媒体としてのディスクを光学的に処理するディスクプレーヤが組み付けられてそのベース体１の上面に上記ディスクが着脱されるディスク配備スペースが形成されている。そして、そのディスクプレーヤの作動時には内蓋５を閉じてディスクを装着したディスク配備スペースを覆わせ、ディスク着脱時には内蓋５を開動させてディスク配備スペースを開放することができるようになっている。また、外蓋２の内面側にＬＣＤでなる画像表示面６が備わり、その画像表示面６の周囲に縁枠部６１が備わっている。さらに、内蓋５に、既述したものと同様の構成のばね部材としての板ばね（図２〜図６参照）７１を利用した内蓋開度調節機構７が付設されている。
【００２３】
図１において、（Ａ）は内蓋５と外蓋２とを共に全閉した状態を示し、（Ｂ）は外蓋２だけを直角に開いた状態を示し、（Ｃ）は外蓋２を全開し、内蓋５を中間の開度まで開動させた状態を示し、（Ｄ）は内蓋５がその自重で閉動するときの状態を示し、（Ｅ）は外蓋２と内蓋５とが全閉される直前の状態を示している。
【００２４】
図１で判るように、この実施形態では、上記内蓋開度調節機構７による開度無段調節機能を解除するための機能解放機構８が追加されていて、その機能解放機構８が外蓋２に付設されている。
【００２５】
図２〜図６のように、機能開放機構８は、内蓋開度調節機構７のばね部材としての板ばね７１をその弾性に抗して撓み変形させることによりその板ばね７１を摺動体７２から離反させるカム機構でなり、そのカム機構が、横軸２１によって形成されている外蓋回動中心部の偏心箇所に位置する円弧状のカム面８１と、ベース体１に設けられてカム面８１により押し下げられて板ばね７１を摺動体７２から離反させるピン状の可動体８２とでなる。この点を図２を参照してさらに具体的に説明すると、ばね部材としての板ばね７１は、直角に折り曲げられた基端部７５がベース体１側に具備された取付溝部１２に差し込まれて固着されていて、その先端部に内蓋開度調節機構７の摺動部７２に対する摺動面７６が具備され、中間部にピン状の可動体８２の下端部が載架された作用部７７が具備されている板ばねでなる。さらに、板ばね７１の先端部には突起７４が備わっている。
【００２６】
次に作用を説明する。
【００２７】
図２では、直角に開かれた外蓋２を実線で示し、全閉状態の外蓋２を仮想線で示してある。同図のように、外蓋２が直角に開かれているとき、及び、全閉状態のときには、機能開放機構８のカム面８１がピン状の可動体８２の前又は後に位置してそのカム面８１から離れている。また、図３のように外蓋２が全開しているときにも同様に、カム面８１がピン状の可動体８２の前又は後に位置してそのカム面８１から離れている。
【００２８】
図２のように全閉している内蓋５が持ち上げられて開動されることにより、その内蓋５の開度が図３又は図４に示したその開閉範囲内の一定領域Ｚに定められたとき、すなわち、摺動体７２が同図の仮想線で示した位置と実線で示した位置との間で回動するときには、摺動体７２が板ばね７１の摺動面７６（図２参照）に当接して板ばね７１をその弾性に抗して押し下げるために、その板ばね７１が摺動体７２に弾接して摺動体７２をそのときの位置に位置決めし、内蓋開度調節機構７の開度無段調節機能によって内蓋５の開度がそのときの開き角度に固定される。
【００２９】
この内蓋付き画像表示装置において、図３のように外蓋２が全開し、内蓋５の開度が上記した内蓋開度調節機構７の開度無段調節機能によって任意の開き角度に固定されている場合において、内蓋５が押し下げられて矢印Ｂ’のように閉動されると、摺動体７２が板ばね７１の摺動面７６（図２参照）から離反し、離反後には自重によって内蓋５が全閉される。
【００３０】
これに対し、図４のように内蓋開度調節機構７の開度無段調節機能によって内蓋５が任意の開き角度に固定されている場合において、矢印Ａのように外蓋２が閉動されると、機能解放機構８のカム面８１がピン状の可動体８２に臨んだ後、図５のように可動体８２を押し下げて板ばね７１をその弾性に抗して押し下げる。そのため、板ばね７１が摺動体７２から離れ、それによって内蓋開度調節機構７の開度無段調節機能が解放されるので、図６矢印Ｂのように内蓋５が自重によって全閉される。また、外蓋２をさらに全閉すると、図５のようにカム面８１がピン状の可動体８２から離れるので、板ばね７１がその弾性により図２のように初期位置に復帰する。
【００３１】
ところで、図１１で説明したように、外蓋２の縁枠部６１と画像表示面６との境界箇所に位置している凹入状の段付部６２に内蓋５の先端縁５２が突き当たるという状況は、次の場合に起こり得る。すなわち、この状況は、図１（Ｃ）に示したように、段付部６２の外蓋２の開閉動に伴う第１円弧経路ａが、内蓋５の開閉動に伴う内蓋先端縁５２の第２円弧経路ｂに対して交差し、その交差箇所ｃを境として、外蓋２の開き側で第１円弧経路ａが第２円弧経路ｂの上側に位置し、外蓋２の閉じ側で第１円弧経路ａが第２円弧経路ｂの下側に位置する場合に、その交差箇所ｃで起こり得る。したがって、外蓋２が上記交差箇所ｃよりも外蓋２の開き側に閉動する直前で内蓋開度調節機構７の開度無段調節機能を解除するように上記機能解放機構８が構成されていると、内蓋５を外蓋２によって後押し閉動させるような操作を行っても、内蓋５の先端縁５２が段付部６２に突き当たって画像表示面６を傷付けたり破壊したりするという事態が起こり得なくなる。
【００３２】
また、上記交差箇所ｃを含む範囲で内蓋５が任意の開度に固定できるようにすることは、内蓋開度調節機構７の摺動体７２の横軸５１周りでの位置を適切に定めることによって可能であり、また、内蓋開度調節機構７の開度無段調節機能を解放するタイミングは、機能解放機構８のカム面８１の横軸２１周りでの位置を適切に定めることによって変更することができる。したがって、内蓋開度調節機構７の開度無段調節機能を解放するタイミングを、外蓋２によって後押し閉動された内蓋５がその全閉位置に近い箇所に閉動したときに定めることが可能であり、そのようにすることによって、自重で全閉した内蓋５の全閉時の衝撃を緩和して使い勝手を損なわないようにすることも容易に可能である。
【図面の簡単な説明】
【００３３】
【図１】（Ａ）〜（Ｅ）は本発明に係る内蓋付き画像表示装置の外蓋及び内蓋の開閉動作を説明的に示した概略側面図である。
【図２】内蓋の全閉状態を示す要部断面図である。
【図３】内蓋を任意の開度に設定した状態の要部断面図である。
【図４】機能解放機構の始動状態を示した要部断面図である。
【図５】機能解放機構の動作状態を示した要部断面図である。
【図６】機能解放機構の動作終了状態を示した要部断面図である。
【図７】（Ａ）〜（Ｅ）は比較例としての内蓋付き画像表示装置の外蓋及び内蓋の開閉動作を説明的に示した概略側面図である。
【図８】内蓋の全閉状態を示す要部断面図である。
【図９】内蓋を任意の開度に設定した状態の要部断面図である。
【図１０】内蓋の全開状態を示す要部断面図である。
【図１１】図７（Ｄ）の要部を拡大した説明図である。
【符号の説明】
【００３４】
１  ベース体
２  外蓋
５  内蓋
６  画像表示面
７  内蓋開度調節機構
８  機能解放機構（カム機構）
２１，５１  横軸
６１  縁枠部
６２  段付部
７１  板ばね（ばね部材）
７２  摺動体
７６  摺動面
７７  作用部
８１  カム面
８２  可動体
ａ  第１円弧経路
ｂ  第２円弧経路
ｃ  交差箇所
【図１】
2006172558.tif 000003
【図２】
2006172558.tif 000004
【図３】
2006172558.tif 000005
【図４】
2006172558.tif 000006
【図５】
2006172558.tif 000007
【図６】
2006172558.tif 000008
【図７】
2006172558.tif 000009
【図８】
2006172558.tif 000010
【図９】
2006172558.tif 000011
【図１０】
2006172558.tif 000012
【図１１】
2006172558.tif 000013